(57)【要約】      （修正有）【課題】傘布に通風口を備えることで、風に煽られることのない傘を提供する。【解決手段】石突１２を中心に略円形の通風口２２が備えられた傘布２０と、該通風口を被覆するカバー布体２４と、を備える通風口付傘１であって、カバー布体２４を通風口２２の径より大径とすることで周縁部が傘布２０と重なり合う重複構造を為し、前記通風口を備えることで剥き出し状となった親骨の露出部３２ａ所定箇所にカバー布体２４が固着された構成を採用する。【選択図】図１
0003187464.tif 000002
【実用新案登録請求の範囲】
【請求項１】
石突を中心に略円形の通風口が備えられた傘布と、該通風口を被覆するカバー布体と、を備える傘であって、
前記カバー布体を前記通風口の径より大径とすることで周縁部が前記傘布と重なり合う重複構造を為し、
前記通風口を備えることで剥き出し状となった親骨の露出部所定箇所に前記カバー布体が固着されて成ることを特徴とする通風口付傘。
【請求項２】
前記カバー布体が、親骨の露出部における傘布との境界に近い箇所に固着されていることを特徴とする請求項１に記載の通風口付傘。
【請求項３】
前記傘布とカバー布体との重複箇所に、該カバー布体の捲れ上がりを防止する止着体が備えられていることを特徴とする請求項１または請求項２に記載の通風口付傘。
【考案の詳細な説明】
【技術分野】
【０００１】
本考案は、通風口を備えた傘に関するものである。
【背景技術】
【０００２】
従来より、雨が降った時や日差しが強い場合など、雨や雪、日光などが直に当たらないよう、頭上に傘を広げ差しかざすこととなる。降雨時の差し傘は一般に雨傘といい、日除け用に差す傘は日傘と呼ばれている。さらに、海水浴その他のアウトドア関連において、日除け用に大型の傘を差す場合もあり、これらはビーチパラソルあるいはガーデンパラソルなどと呼ばれ、砂浜等の地面に直接突き刺したり、専用の立設具を用いて差されることとなる。
【０００３】
これら多種多様な傘を差している際に、時として強風に煽られる場合がある。すなわち、風が傘布内に入り込んだ場合に、その風の力で傘布が押される場合があり、その場合に傘全体が飛ばされたり、あるいは把持した手や腕が引っ張られて、危険を及ぼす可能性がある。また、傘布が押されて逆さ開き状態になり、該傘布と固着されている傘骨も追随して逆さ開き状態となって、傘全体がが壊れてしまうこともある。
【０００４】
本出願人は、以上のような傘の問題点に着目し、耐風性を備える傘を提供できないものかという着想の下、傘の本来的機能を損なうことなく、傘布に通風口を備えることで、風に煽られることのない傘を開発し、本考案における「通風口付傘」の提案に至るものである。
【先行技術文献】
【特許文献】
【０００５】
【特許文献１】特開２０１１−９２６６１号公報
【特許文献２】特開平１１−３３２６２４号公報
【特許文献３】特開平１１−２０６４２９号公報
【特許文献４】特開平１０−６６６１３号公報
【特許文献５】特開平９−２９９１２０号公報
【特許文献６】実開昭６２−１５３９１２号公報
【考案の開示】
【考案が解決しようとする課題】
【０００６】
本考案は上記問題点に鑑み、傘布に通風口を備えることで、風に煽られることのない傘を提供することを課題とする。
【課題を解決するための手段】
【０００７】
上記課題を解決するため、本考案は、石突を中心に略円形の通風口が備えられた傘布と、該通風口を被覆するカバー布体と、を備える傘であって、前記カバー布体を前記通風口の径より大径とすることで周縁部が前記傘布と重なり合う重複構造を為し、前記通風口を備えることで剥き出し状となった親骨の露出部所定箇所に前記カバー布体が固着された構成となっている。
【０００８】
また、本考案は、前記カバー布体が、親骨の露出部における傘布との境界に近い箇所に固着された構成を採ることができる。
【０００９】
さらに、本考案は、前記傘布とカバー布体との重複箇所に、該カバー布体の捲れ上がりを防止する止着体が備えられた構成とすることもできる。
【考案の効果】
【００１０】
本考案にかかる通風口付傘によれば、傘布に通風口を備えることによって、傘布内に入り込んだ風を外へ逃がす構造となっているため、風で逆さ開きになったり、風に飛ばされる心配がなく、安全性を備え且つ壊れ難いといった優れた効果を奏する。
【図面の簡単な説明】
【００１１】
【図１】本考案にかかる通風口付傘の実施形態を示す分解斜視図である。
【図２】本考案にかかる通風口付傘の実施形態を示す側断面図である。
【図３】本考案にかかる通風口付傘の実施形態を示す平面図である。
【考案を実施するための形態】
【００１２】
本考案の通風口付傘１は、石突を中心に略円形の通風口を傘布に備えると共に、該通風口を大径のカバー布体で被覆し、かつ、該カバー布体を剥き出し状の親骨に固着したことを最大の特徴とする。以下、本考案にかかる通風口付傘１の実施形態を、図面に基づいて説明する。
【００１３】
尚、本考案における通風口付傘１は、以下に述べる実施形態に限定されるものではなく、本考案の技術的思想の範囲内、すなわち同一の作用効果を発揮できる形状や寸法等の範囲内で、適宜変更することができる。
【００１４】
図1乃至図３は、本考案にかかる通風口付傘１の実施形態を示しており、図１は分解斜視図、図２は側断面図、図３は平面図である。
本考案が採用される傘は、全体を支える中棒１０と、全体を覆う傘布２０と、傘布２０を支える親骨３２及び受骨３４から成る骨３０と、から構成される一般的な構造のもので、雨傘や日傘、パラソル等その種類を問うものではなく、また、親骨折畳式や中棒継足式などの構成態様を問うものでもない。
【００１５】
本考案にかかる通風口付傘１は、図面に示すように、中棒１０の先端にある石突１２を中心に略円形の通風口２２が、傘布２０を貫通するように備えられている。すなわち、図３（ａ）でわかるように、傘布２０は、傘を開いた状態において平面視で中央に略円形の孔を有するドーナツ状を為すものである。
【００１６】
前記通風口２２の上方には、該通風口２２を被覆するカバー布体２４が備えられる。該カバー布体２４は、図３（ｂ）に示すように、前記通風口２２の形状に合わせて略円形状とされ、中心部には中棒１０の先端を貫通可能な貫通孔２５を有している。なお、該カバー布体２４の形状について、略円形状のほか、装飾性を考慮して花形など種々の形状とすることが可能である。ただし、少なくとも前記通風口２２の径よりカバ布体２４は大径とされ、該通風口２２全体を被覆可能な大きさとなっている。これにより、カバー布体２４の周縁部が前記傘布２０と重なり合う重複構造を為し、該重複箇所が通風口２２からの風を逃がす通風経路Ａとして機能することとなる。
【００１７】
前記カバー布体２４は、その材質について特に限定はないが、前記傘布２０と同材質とすることが好ましい。なお、該カバー布体２４の色調や模様を傘布２０と別色・別模様とすることで、装飾性の向上に資することとなる。
【００１８】
また、前記カバー布体２４は、親骨３２に固着されるものであって、その固着手段２６については特に限定はなく、一般に用いられる傘布２０と親骨３２との固着手段を用いればよい。該カバー布体２４を固着する箇所については、親骨３２の露出部３２ａ所定箇所、すなわち前記傘布２０が通風口２２を備えることで剥き出し状となった親骨３２の所定箇所とする。これにより、傘布２０とカバー布体２４周縁部の重複箇所で構成される通風経路Ａの確保に資することとなる。ただし、親骨３２の露出部３２ａにおける石突１２近傍でカバー布体２４を固着した場合、該カバー布体２４の捲れ上がり量が大きくなり過ぎて、カバー布体２４の正位置への戻りを阻害したり、外部から雨水等の浸入を許すことになり兼ねない。したがって、カバー布体２４の固着箇所については、親骨３２の露出部３２ａにおける傘布２０との境界に近い箇所とすることが好ましい。
【００１９】
ところで、上述したように、カバー布体２４は親骨３２の露出部３２ａに固着されることから、その周縁部が捲れ上がった状態で正位置に戻らない場合が想定される。そこで、前記傘布２０とカバー布体２４との重複箇所に、該カバー布体２４の捲れ上がりを防止する止着体２８を備える態様が可能である。該止着体２８の具体的構造については、特に限定はなく、例えばホックやボタン、ベルクロファスナーなどを用いればよい。また、止着体２８を備える箇所や数についても特に限定はなく、例えば図面に示すような隣接する親骨３２と親骨３２との間であったり、あるいは、親骨３２の線上に備えられることとなる。なお、通風経路Ａを確保すべく、止着体２８の大きさはできる限り極小とすることが望ましく、また、その数についても少ない方が好ましい。
【００２０】
以上の通り構成される本考案にかかる通風口付傘１について、その使用態様は次のとおりである。すなわち、使用状態を為した通風口付傘１は、傘布２０内に入り込んだ風が通風口２２を通過し、上方を被覆するカバー布体２４（特にその周縁部）を押し上げ、それによって傘布２０とカバー布体２４周縁部との間に構成された通風経路Ａを通って外部へ放出されるしくみとなっている。かかる構成により、傘布２０内に入り込んだ風を外部へ効果的に逃がすと共に、外部からの雨水等の浸入は防止可能であるため、風で傘が煽られることなく、安全且つ壊れ難い傘を提供するものである。
【符号の説明】
【００２１】
１    通風口付傘
１０    中棒
１２    石突
２０    傘布
２２    通風口
２４    カバー布体
２５    貫通孔
２６    固着手段
２８    止着体
３０    骨
３２    親骨
３２ａ  露出部
３４    受骨
Ａ    通風経路
【図１】
0003187464.tif 000003
【図２】
0003187464.tif 000004
【図３】
0003187464.tif 000005